(57)【特許請求の範囲】
【請求項１】
室外の空気を室内に導入する空気導入用送風機と、室内の空気を室外に排出する空気排出用送風機と、室内の煙を検知する煙センサと、室外の空気の温度を検知する外気温度センサとを具備し、下記（１）〜（４）の運転条件で室内の換気を行うことを特徴とする換気装置。
（１）外気温度センサにより検出した室外の空気の温度が寒冷期相当温度である場合において、煙センサが室内の煙を検知していないときには、空気導入用送風機および空気排出用送風機をそれぞれ弱速で運転し、煙センサが室内の煙を検知しているときには、空気導入用送風機および空気排出用送風機をそれぞれ寒冷期用換気時間だけ強速で運転した後、弱速で所定時間運転する。
（２）外気温度センサにより検出した室外の空気の温度が冷温期相当温度である場合において、煙センサが室内の煙を検知していないときには、空気導入用送風機および空気排出用送風機をそれぞれ弱速で運転し、煙センサが室内の煙を検知しているときには、空気導入用送風機および空気排出用送風機をそれぞれ冷温期用換気時間だけ強速で運転した後、弱速で所定時間運転する。
（３）外気温度センサにより検出した室外の空気の温度が温暖期相当温度である場合において、煙センサが室内の煙を検知していないときには、空気導入用送風機および空気排出用送風機をそれぞれ中速で運転し、煙センサが室内の煙を検知しているときには、空気導入用送風機および空気排出用送風機をそれぞれ温暖期用換気時間だけ強速で運転した後、中速で所定時間運転する。
（４）外気温度センサにより検出した室外の空気の温度が熱暑期相当温度である場合において、煙センサが室内の煙を検知していないときには、空気導入用送風機および空気排出用送風機をそれぞれ弱速で運転し、煙センサが室内の煙を検知しているときには、空気導入用送風機および空気排出用送風機をそれぞれ熱暑期用換気時間だけ強速で運転した後、弱速で所定時間運転する。
【請求項２】
寒冷期相当温度が３℃以下〜７℃以下の温度であり、冷温期相当温度が３〜７℃を超え１６〜２０℃以下の温度であり、温暖期相当温度が１６〜２０℃を超え２２〜２６℃以下の温度であり、熱暑期相当温度が２２℃を超える温度〜２６℃を超える温度であることを特徴とする請求項１に記載の換気装置。
【請求項３】
寒冷期用換気時間が０．５〜２分の範囲の時間であり、冷温期用換気時間が２〜４分の範囲の時間であり、温暖期用換気時間が７〜１１分の範囲の時間であり、熱暑期用換気時間が２〜４分の範囲の時間であることを特徴とする請求項１または２に記載の換気装置。
【請求項４】
煙センサが室内の煙を検知しているときに、空気導入用送風機および空気排出用送風機をそれぞれ強速で運転した後に弱速または中速で運転する前記所定時間は２〜４分であることを特徴とする請求項１〜３のいずれか１項に記載の換気装置。
【請求項５】
空気導入用送風機および空気排出用送風機の弱速運転時の換気風量は（客席数×３５）ｍ３／ｈ〜（客席数×４５）ｍ３／ｈであり、中速運転時の換気風量は（客席数×５０）ｍ３／ｈ〜（客席数×６０）ｍ３／ｈであり、強速運転時の換気風量は（客席数×６７）ｍ３／ｈ〜（客席数×７７）ｍ３／ｈであることを特徴とする請求項１〜４のいずれか１項に記載の換気装置。
【発明の詳細な説明】
【技術分野】
【０００１】
本発明は、室内の空気環境を快適に保つための換気装置に関し、さらに詳しくは、喫煙席および禁煙席を設けた飲食店の店内等の換気を適切に行うことができる換気装置に関する。
【背景技術】
【０００２】
従来、室内に分煙空間を作るための技術が種々提案されている（例えば、特許文献１、２参照）。特許文献１の技術は、少なくとも１つの吸込み口と少なくとも１つの吹出し口と前記吸込み口と前記吹出し口の間に空気清浄手段と送風手段を設けた空気清浄装置を天井に設置し、前記吹出し口から吹出した清浄空気を任意の分煙空間を囲むエアーカーテンを形成するように偏向する遮蔽板を前記空気清浄装置の周囲の前記天井に前記分煙空間以上の面積を囲むように垂設した空気清浄システムである。特許文献２の技術は、吹出流により旋回流を形成する旋回流形成手段を天井部に設け、前記旋回流形成手段の中央部に天井部下面方向に吸込口を設けた分煙システムである。
【０００３】
【特許文献１】特開平１０−２８６４２０号公報
【特許文献２】特開２０００−３０４３１３号公報
【発明の開示】
【発明が解決しようとする課題】
【０００４】
しかし、前記特許文献１、２の技術は、いずれも単に室内に分煙空間を作ることを目的とするもので、喫煙がなされる室内の換気を適切に行って室内全体の空気環境を快適に保つことができるものではなかった。
【０００５】
本発明は、前述した事情に鑑みてなされたもので、喫煙がなされる室内の換気を適切に行うことができ、そのため上記室内全体の空気環境を快適に保つことが可能な換気装置を提供することを目的とする。
【課題を解決するための手段】
【０００６】
本発明者は、前述した課題を解決すべく種々研究を重ねた結果、室内における煙の有無と、室外空気の温度とに基づいて、室外空気の室内への導入および室内空気の室外への排出を制御することにより、喫煙がなされる室内の換気を適切に行うことができることを見出した。
【０００７】
本発明は、上述した知見に基づいてなされたもので、室外の空気を室内に導入する空気導入用送風機と、室内の空気を室外に排出する空気排出用送風機と、室内の煙を検知する煙センサと、室外の空気の温度を検知する外気温度センサとを具備し、前記煙センサによる室内の煙の検知の有無および前記外気温度センサにより検出した室外の空気の温度に基づいて、前記空気導入用送風機および空気排出用送風機の運転を制御する換気装置であって、下記（１）〜（４）の運転条件で室内の換気を行うことを特徴とする換気装置を提供する。
【０００８】
（１）外気温度センサにより検出した室外の空気の温度が寒冷期相当温度である場合において、煙センサが室内の煙を検知していないときには、空気導入用送風機および空気排出用送風機をそれぞれ弱速で運転し、煙センサが室内の煙を検知しているときには、空気導入用送風機および空気排出用送風機をそれぞれ寒冷期用換気時間だけ強速で運転した後、弱速で所定時間運転する。
（２）外気温度センサにより検出した室外の空気の温度が冷温期相当温度である場合において、煙センサが室内の煙を検知していないときには、空気導入用送風機および空気排出用送風機をそれぞれ弱速で運転し、煙センサが室内の煙を検知しているときには、空気導入用送風機および空気排出用送風機をそれぞれ冷温期用換気時間だけ強速で運転した後、弱速で所定時間運転する。
（３）外気温度センサにより検出した室外の空気の温度が温暖期相当温度である場合において、煙センサが室内の煙を検知していないときには、空気導入用送風機および空気排出用送風機をそれぞれ中速で運転し、煙センサが室内の煙を検知しているときには、空気導入用送風機および空気排出用送風機をそれぞれ温暖期用換気時間だけ強速で運転した後、中速で所定時間運転する。
（４）外気温度センサにより検出した室外の空気の温度が熱暑期相当温度である場合において、煙センサが室内の煙を検知していないときには、空気導入用送風機および空気排出用送風機をそれぞれ弱速で運転し、煙センサが室内の煙を検知しているときには、空気導入用送風機および空気排出用送風機をそれぞれ熱暑期用換気時間だけ強速で運転した後、弱速で所定時間運転する。
【０００９】
本発明において、寒冷期相当温度とは日本の冬の温度に相当する温度を言い、通常は３℃以下〜７℃以下の温度、特に５℃以下の温度とすることが適当である。冷温期相当温度とは日本の冬から春、秋から冬にかけての温度に相当する温度を言い、通常は３〜７℃を超え１６〜２０℃以下の温度、特に５℃を超え１８℃以下の温度とすることが適当である。温暖期相当温度とは日本の春、秋の温度に相当する温度を言い、通常は１６〜２０℃を超え２２〜２６℃以下の温度、特に１８℃を超え２４℃以下の温度とすることが適当である。熱暑期相当温度とは日本の夏の温度に相当する温度を言い、通常は２２℃を超える温度〜２６℃を超える温度、特に２４℃を超える温度とすることが適当である。
【００１０】
本発明において、寒冷期用換気時間とは寒冷期に両送風機を強速で運転したときに室内の温度が下がりすぎない時間を言い、通常は０．５〜２分、特に１分程度とすることが適当である。冷温期用換気時間とは冷温期に両送風機を強速で運転したときに室内の温度が下がりすぎない時間を言い、通常は２〜４分、特に３分程度とすることが適当である。温暖期用換気時間とは温暖期に両送風機を強速で運転したときに室内の温度が快適になる時間を言い、通常は７〜１１分、特に９分程度とすることが適当である。熱暑期用換気時間とは熱暑期に両送風機を強速で運転したときに室内の温度が上がりすぎない時間を言い、通常は２〜４分、特に３分程度とすることが適当である。
【００１１】
また、煙センサが室内の煙を検知しているときに、空気導入用送風機および空気排出用送風機をそれぞれ強速で運転した後に弱速または中速で運転する前記所定時間は、通常は２〜４分、特に３分程度とすることが適当である。
【００１２】
本発明において、空気導入用送風機および空気排出用送風機の弱速運転、中速運転および強速運転の条件は適宜設定することができ、例えば飲食店では、弱速運転時の換気風量を（客席数×３５）ｍ３／ｈ〜（客席数×４５）ｍ３／ｈ、好ましくは（客席数×４０）ｍ３／ｈ、中速運転時の換気風量を（客席数×５０）ｍ３／ｈ〜（客席数×６０）ｍ３／ｈ、好ましくは（客席数×５５）ｍ３／ｈ、強速運転時の換気風量を（客席数×６７）ｍ３／ｈ〜（客席数×７７）ｍ３／ｈ、好ましくは（客席数×７２）ｍ３／ｈに設定することができる。
【発明の効果】
【００１３】
本発明の換気装置によれば、煙センサによる室内の煙の検知の有無および外気温度センサにより検出した室外の空気の温度に基づいて、空気導入用送風機および空気排出用送風機の運転を制御することにより、喫煙がなされる室内の換気を適切に行うことができ、そのため喫煙がなされる室内全体の空気環境を快適に保つことができる。
【発明を実施するための最良の形態】
【００１４】
図１は本発明の換気装置を設置した飲食店の一例を示す概略図である。図中１０は室外の空気１２を室内１４に導入する空気導入用送風機、１５は外気吹出口、１６は室内１４の空気を室外１８に排出する空気排出用送風機、１９は排気口、２０、２２はそれぞれ室内の煙を検知する煙センサ、２４は室外の空気の温度を検知する外気温度センサ、２６は室内１４の温度を検知する室温センサ、２８は制御部を示す。制御部２８は、空気導入用送風機１０、空気排出用送風機１６、煙センサ２０、２２、外気温度センサ２４、室温センサ２６と接続されている。また、制御部２８には制御盤３０が設けられており、この制御盤３０にはタイマー運転スイッチ３２および強制換気スイッチ３４が設置されている。さらに、図中３６は室内に設けられた喫煙席、３８は禁煙席を示す。
【００１５】
本例の換気装置は、下記（１）〜（４）のように運転される。この場合、下記運転（１）〜（４）は、タイマー運転スイッチ３２を押すことにより制御部２８の制御で自動的に行われる。また、本例では、煙センサ２０、２２は、非検知状態（ＯＦＦ状態）から煙を検知して検知状態（ＯＮ状態）になると、そのＯＮ状態が１０分間継続した後、ＯＦＦ状態となるように設定されている。図２に運転時のタイムチャートを示す。
【００１６】
本例では、空気導入用送風機１０および空気排出用送風機１６の弱速運転時の換気風量を（客席数×４０）ｍ３／ｈ、中速運転時の換気風量を（客席数×５５）ｍ３／ｈ、強速運転時の換気風量を（客席数×７２）ｍ３／ｈとした。この場合、上記弱速運転、中速運転および強速運転の切換はインバータ（図示せず）の制御によって行った。
【００１７】
（１）寒冷期：外気温度センサ２４により検出した室外空気１２の温度が５℃以下の場合、煙センサ２０、２２のいずれもが室内１４の煙を検知していないとき（ＯＦＦ状態）には、空気導入用送風機１０および空気排出用送風機１６をそれぞれ弱速で運転する。煙センサ２０、２２のいずれかが室内１４の煙を検知しているとき（ＯＮ状態）には、空気導入用送風機１０および空気排出用送風機１６をそれぞれ１分間強速で運転した後、３分間弱速で運転する（１分モード）。
【００１８】
（２）冷温期：外気温度センサ２４により検出した室外空気１２の温度が５℃を超え１８℃以下の場合、煙センサ２０、２２のいずれもが室内１４の煙を検知していないとき（ＯＦＦ状態）には、空気導入用送風機１０および空気排出用送風機１６をそれぞれ弱速で運転する。煙センサ２０、２２のいずれかが室内１４の煙を検知しているとき（ＯＮ状態）には、空気導入用送風機１０および空気排出用送風機１６をそれぞれ３分間強速で運転した後、３分間弱速で運転する（３分モード）。
【００１９】
（３）温暖期：外気温度センサ２４により検出した室外空気１２の温度が１８℃を超え２４℃以下の場合、煙センサ２０、２２のいずれもが室内１４の煙を検知していないとき（ＯＦＦ状態）には、空気導入用送風機１０および空気排出用送風機１６をそれぞれ中速で運転する。煙センサ２０、２２のいずれかが室内１４の煙を検知しているとき（ＯＮ状態）には、空気導入用送風機１０および空気排出用送風機１６をそれぞれ９分間強速で運転した後、３分間中速で運転する（９分モード）。
【００２０】
（４）熱暑期：外気温度センサ２４により検出した室外空気１２の温度が２４℃を超える場合、煙センサ２０、２２のいずれもが室内１４の煙を検知していないとき（ＯＦＦ状態）には、空気導入用送風機１０および空気排出用送風機１６をそれぞれ弱速で運転する。煙センサ２０、２２のいずれかが室内１４の煙を検知しているとき（ＯＮ状態）には、空気導入用送風機１０および空気排出用送風機１６をそれぞれ３分間強速で運転した後、３分間弱速で運転する（３分モード）。
【００２１】
本例の換気装置は、１フロアに２箇所設置された煙センサにより室内の空気環境を監視し、煙草の煙がこもるなどして室内の空気環境が悪化した場合には、空気導入用送風機および空気排出用送風機を強速で運転することにより換気量を増やし、室内の空気環境を改善する。このように、換気量を室内の空気環境に応じて変化させるため、常に適量の換気がなされ、その結果、外気導入による室内温度の変化（冷房時であれば温度上昇、暖房時であれば温度低下）が最小限に抑えられ、空調機への負荷も少なくなる。
【００２２】
また、春、秋の温暖期には、外気温度はおおむね１８℃〜２４℃程度であるが、本例の換気装置は、このような季節に空気導入用送風機および空気排出用送風機をそれぞれ中速で運転し、外気を多量に室内に取り入れることにより、すがすがしい室内環境を実現することができる。
【００２３】
本例の換気装置は、前述した（１）〜（４）のように運転する他、下記（ａ）〜（ｄ）のように運転することも可能である。
（ａ）暖房を入れている時期には、必要以上に室内温度が上昇することがあり（特に複層階店舗の上階）、その温度が上昇した室内にいる人が不快な思いすることがある。このように上階と下階で温度差が生じており、上階だけが暑くなっているという場合には、室温センサ２６により検出した室内温度が所定の温度以上になったときに、空気導入用送風機１０および空気排出用送風機１６をそれぞれ強速で所定時間運転し、冷たい外気を室内に取り入れることにより、室内を適温にすることができる。
【００２４】
（ｂ）換気用の空気がビル側から供給され、供給外気が熱処理されている場合や、ビル内部から外気を取り入れる場合には、外気温度は予め決まっているため、外気温度センサを使用することなく、上述した予め決まっている外気温度と煙センサの検知結果とに基づいて、空気導入用送風機および空気排出用送風機の運転を制御することができる。なお、換気用の空気がビル側から供給され、供給外気が熱処理されていない場合は、前記（１）〜（４）と同様にして空気導入用送風機および空気排出用送風機の運転を制御することができる。
【００２５】
（ｃ）前記例では、１フロアに煙センサを２台設置したが、１台（例えば煙センサ２２のみ）としてもよい。煙センサを１台とした場合における運転時のタイムチャートを図３に示す。
【００２６】
（ｄ）煙センサが煙を検知しないが室内が煙たいと感じられる場合は、制御盤３０の強制換気スイッチ３４を押すことにより、空気導入用送風機および空気排出用送風機をそれぞれ所定時間強速で運転して換気を行うことができる。この場合、空気導入用送風機および空気排出用送風機を強速で運転する時間は、外気温度センサにより検出した室外空気の温度に応じて、前記（１）〜（４）と同様に設定することができる。
【図面の簡単な説明】
【００２７】
【図１】本発明の換気装置を設置した飲食店の一例を示す概略図である。
【図２】図１に示した換気装置の運転時のタイムチャートである。
【図３】図１に示した換気装置の煙センサを１台とした場合における運転時のタイムチャートである。
【符号の説明】
【００２８】
１０  空気導入用送風機
１２  室外空気
１４  室内
１５  外気吹出口
１６  空気排出用送風機
１８  室外
１９  排気口
２０  煙センサ
２２  煙センサ
２４  外気温度センサ
２６  室温センサ
２８  制御部
３０  制御盤
３２  タイマー運転スイッチ
３４  強制換気スイッチ
３６  喫煙席
３８  禁煙席
【要約】
【課題】  喫煙がなされる室内の換気を適切に行うことができ、そのため喫煙がなされる室内全体の空気環境を快適に保つことが可能な換気装置を提供する。
【解決手段】  室外１８の空気１２を室内１４に導入する空気導入用送風機１０と、室内の空気を室外に排出する空気排出用送風機１６と、室内の煙を検知する煙センサ２０、２２と、室外の空気の温度を検知する外気温度センサ２４とを設ける。そして、煙センサによる室内の煙の検知の有無と、外気温度センサにより検出した室外の空気の温度とに基づいて、空気導入用送風機および空気排出用送風機の運転を制御する。
【選択図】      図１
【図１】
0003656965.tif 000002
【図２】
0003656965.tif 000003
【図３】
0003656965.tif 000004